(57)【要約】【課題】フロントケースの背面にリヤケースを連結するとともに、リヤケースの背面に端子台を備えた機器において、不必要に端子金具や端子ネジなどの部品を設けることなく、任意の基板枚数に対応した端子台を構成することができるようにする。【解決手段】リヤケース２の背面に、ケース内に組み込まれる複数板の基板６の端部が挿通可能な複数のスリットを形成するとともに、各スリットに対応してリヤケース２の背部に端子台１０を脱着自在に装着し、端子台１０に備えた端子と、スリットを通してリアケース背部に突出された基板６の端部とが電気的に接触導通されるよう構成してある。【選択図】　　　　図３
2004063299.tif 000002
【特許請求の範囲】
【請求項１】
フロントケースの背面にリヤケースを連結するとともに、リヤケースの背面に端子台を備えた機器の端子台構造であって、
前記端子台をリヤケースに脱着自在に構成するとともに、前記リヤケースの背面に、ケース内に組み込まれる複数枚の基板の端部が挿通可能な複数のスリットを形成し、前記端子台に備えられた端子と、前記スリットを通してリアケース背部に突出された前記基板の端部とが、電気的に接続されることを特徴とする機器の端子台構造。
【請求項２】
フロントケースの背面にリヤケースを連結するとともに、リヤケースの背面に端子台を備えた機器の端子台構造であって、
前記端子台をリヤケースに脱着自在に構成するとともに、前記リヤケースの背面に、ケース内に組み込まれる複数枚の基板の端部が挿通可能な複数のスリットを形成し、前記端子台に備えられた端子と、前記スリットを通してリアケース背部に突出された前記基板の端部とが、電気的に接続され、前記リアケースは、前記端子台の前記端子が、ケース内に挿入できないように閉塞されていることを特徴とする機器の端子台構造。
【請求項３】
仕様に応じて前記基板がケース内に組み込まれるとともに、組み込まれる前記基板の数に対応する数の前記端子台が、前記リアケースの対応する位置に装着される請求項１または２記載の機器の端子台構造。
【請求項４】
係合孔と弾性変形可能な係合爪との係脱によって前記端子台を前記リヤケースに脱着自在とするとともに、複数の前記スリットを同一形状とした請求項１〜３のいずれかに記載の機器の端子台構造。
【請求項５】
前記リヤケースの背面に、前記スリットに隣接して複数の支持部で支持された切り抜き片を形成してコネクタ装着用の開口を切り抜き可能とした請求項１〜４のいずれかに記載の機器の端子台構造。
【請求項６】
前記リアケースの背面の所定位置に、前記端子台に備えた突起が挿入可能な誤装着防止用孔を形成した請求項１〜５のいずれかに記載の機器の端子台構造。
【請求項７】
前記端子台の前記端子は、該端子台のボス部に圧入された端子金具と、これに装着されるバネ性を有する接触端子と、前記端子金具にねじ込み装着される端子ねじとを備え、
前記接触端子と、前記スリットを通してリアケース背部に突出された前記基板の端部とが、接触導通される請求項１〜６のいずれかに記載の機器の端子構造。
【発明の詳細な説明】
【０００１】
【発明の属する技術分野】
本発明は、温度調節器やデジタルパネルメータなどの各種機器における端子台構造に関する。
【０００２】
【従来の技術】
従来、温度調節器では、例えば特開２００１−１２４６３６号公報に開示されているように、機器の背面に組み付けられるリアケースに端子台が一体形成されており、基本的には、装着される基板の数に応じた端子台を有する専用のケースとなっている。また、通信基板等のオプション基板が装着される機種では、オプション基板が装着される場合を想定したリアケース構造となっていた。
【０００３】
【発明が解決しようとする課題】
上記のように、リアケースに端子台が一体形成される従来例において、通信基板などのオプション基板が装着される場合を想定したリアケース構造では、そのオプション基板が装着されない場合には、その基板に対応する端子台部分は、開口が生じてしまうことになる。
【０００４】
このような開口は、美観上好ましくなく、また、指先が内部回路に触れたり、異物が内部に侵入するのを防止するために、オプション基板が装着されないにもかかわらず、その開口部分に、端子金具および端子ネジを装着して閉塞しており、コスト高の一因となるものであった。
【０００５】
また、本件出願人が、平成１４年５月２０日に特願２００２−１４４４９０として出願している「電子機器および機器の使用方法」において提案しているように、入力用、出力用、電源用、通信用といった多種類の基板を準備し、必要な基板を選択して共通のケースに装着して所要の機種を構成する機器においては、必要とする機種の仕様に応じて、装着すべき基板の種類や枚数は、異なることになる。
【０００６】
したがって、共通のケースを用いて基板枚数の異なる複数の機種を構成するためには、従来のようなリアケースに端子台が一体形成される構造では、対応できないことになる。
【０００７】
本発明は、このような実情に着目してなされたものであって、不必要に端子金具や端子ネジなどの部品を設けることなく、任意の基板枚数に対応した端子台を構成することができるようにすることを主たる目的とする。
【０００８】
【課題を解決するための手段】
本発明では、上記目的を達成するために、次のように構成している。
【０００９】
すなわち、本発明の機器の端子台構造は、フロントケースの背面にリヤケースを連結するとともに、リヤケースの背面に端子台を備えた機器の端子台構造であって、前記端子台をリヤケースに脱着自在に構成するとともに、前記リヤケースの背面に、ケース内に組み込まれる複数枚の基板の端部が挿通可能な複数のスリットを形成し、前記端子台に備えられた端子と、前記スリットを通してリアケース背部に突出された前記基板の端部とが、電気的に接続されるものである。
【００１０】
本発明によると、装着される基板の枚数に応じた数だけ端子台をリヤケースに装着しておけばよく、基板が装着されないスリットは露出された状態となるが、基板が挿通するだけの大きさでよいスリットは、従来の端子金具及び端子ネジが装着される開口に比べて小さく、美観上も良好となり、また、指先が内部回路に触れたりすることもなく、さらに、異物の侵入を防止する機能には十分であり、スリットを他部材で隠すような必要はない。
【００１１】
また、本発明の機器の端子台構造は、フロントケースの背面にリヤケースを連結するとともに、リヤケースの背面に端子台を備えた機器の端子台構造であって、前記端子台をリヤケースに脱着自在に構成するとともに、前記リヤケースの背面に、ケース内に組み込まれる複数枚の基板の端部が挿通可能な複数のスリットを形成し、前記端子台に備えられた端子と、前記スリットを通してリアケース背部に突出された前記基板の端部とが、電気的に接続され、前記リアケースは、前記端子台の前記端子が、ケース内に挿入できないように閉塞されている。
【００１２】
本発明によると、装着される基板の枚数に応じた数だけ端子台をリヤケースに装着しておけばよく、基板が装着されないスリットは露出された状態となるが、基板が挿通するだけの大きさでよいスリットは、従来の端子金具及び端子ネジが装着される開口に比べて小さく、また、リアケースは、端子台の端子が、ケース内に挿入できないように閉塞されているので、美観上も良好となり、また、指先が内部回路に触れたりすることもなく、さらに、異物の侵入を防止する機能には十分であり、スリットを他部材で隠すような必要はない。
【００１３】
本発明の一実施態様においては、仕様に応じて前記基板がケース内に組み込まれるとともに、組み込まれる前記基板の数に対応する数の前記端子台が、前記リアケースの対応する位置に装着されるものである。
【００１４】
本発明によると、機器の仕様に応じて、基板の種類や数が選択されてケース内に組み込まれる一方、基板の数に応じた数の端子台がリアケースの対応する位置に装着されるので、共通のケースで各種の仕様の機器を構成できるとともに、端子台が装着されていない部分は、基板が挿通するだけの大きさでよいスリットが露出するだけであり、美観上も良好となり、また、指先が内部回路に触れたりすることもなく、さらに、異物の侵入を防止する機能には十分であり、スリットを他部材で隠すような必要はない。
【００１５】
本発明の他の実施態様においては、係合孔と弾性変形可能な係合爪との係脱によって前記端子台を前記リヤケースに脱着自在とするとともに、複数の前記スリットを同一形状としている。
【００１６】
本発明によると、同一サイズの基板を、機器の仕様に応じた枚数装着することによって、所望の機種を構成でき、また、端子台をリアケースにワンタッチで脱着できることになる。
【００１７】
本発明の好ましい実施態様においては、前記リヤケースの背面に、前記スリットに隣接して複数の支持部で支持された切り抜き片を形成してコネクタ装着用の開口を切り抜き可能としている。
【００１８】
本発明によると、通常はリヤケースの背面は基板挿通用のスリットなどの小さい開口が存在するだけであり、異物の侵入を十分防止することができるが、必要に応じてコネクタ装着用の開口を切り抜きによって簡単に形成することができる。
【００１９】
本発明の他の実施態様においては、前記リアケースの背面の所定位置に、前記端子台に備えた突起が挿入可能な誤装着防止用孔を形成している。
【００２０】
本発明によると、端子台の突起とリアケース背面の誤装着防止用孔とによって誤装着を防止でき、取り扱い性に優れたものとなる。
【００２１】
本発明の更に他の実施態様においては、前記端子台の前記端子は、該端子台のボス部に圧入された端子金具と、これに装着されるバネ性を有する接触端子と、前記端子金具にねじ込み装着される端子ねじとを備え、前記接触端子と、前記スリットを通してリアケース背部に突出された前記基板の端部とが、接触導通されるものである。
【００２２】
本発明によると、リアケース背面には、端子金具、接触端子および端子ねじをケース内に挿通させる開口が不要となり、スリットのみを形成すればよく、美観上も良好となり、また、指先が内部回路に触れたりすることもなく、さらに、異物の侵入を防止する機能には十分であり、スリットを他部材で隠すような必要はない。
【００２３】
【発明の実施の形態】
以下、本発明を温度調節器に適用した一実施形態を図面に基づいて説明する。
【００２４】
図１に、温度調節器を正面側から見た斜視図が、図２に、その背面側から見た斜視図が、また、図３に、分解した斜視図がそれぞれ示されている。この温度調節器は、フロントケース１が、前方に開放された箱形のリアケース２の前端部に嵌め付けられるとともに、リヤケース２の背部に配線接続部３が備えられた構造となっており、フロントケース１の前面に、現在温度や目標温度などの温度情報を液晶表示する情報表示部４と、各種の機能設定などを行う複数の操作キー５が装備されるとともに、フロントケース１の背部には、図３に示されるように、複数の基板６が縦向き姿勢で並列装着されている。
【００２５】
図６および図７に示すように、リヤケース２の背壁２ａは、ケース後端よりも少し前方に入り込んで設けられるとともに、十字に交差する縦リブ２ｂと横リブ２ｃとによって４つの矩形凹部に仕切られ、かつ、各矩形凹部には、３〜２本のスリット７が縦向きに形成されている。これらスリット７は、フロントケース１に装備される最大枚数の基板６の配列に対応して設けられており、図８〜図１０に示すように、リヤケース２の上壁２ｄと下壁２ｅの内面には、スリット７に連なるガイド溝８が形成されており、リヤケース内に挿入された基板６の上縁および下縁がガイド溝８で案内されてスリット７に導かれるようになっている。
【００２６】
前記配線接続部３には、縦長ブロック状に形成された複数個の端子台１０が装備されており、この例では、各端子台１０が各スリット７ごとに対応してリヤケース２の背部に脱着可能に取り付けられている。つまり、各端子台１０の上下には、図５に示されるように、弾性変形可能な係合爪１１が形成されており、この係合爪１１を、リヤケース２の背部における各矩形凹部の上下周壁に形成された係合孔１２に弾性係止することで、各端子台１０をリヤケース２の背部に任意に脱着することができるようになっている。
【００２７】
端子台１０の背部は、リブ１３によって上下複数に仕切られ、各仕切り内に配線用の端子１４がに並列装備されている。この端子１４は、図４に示されるように、端子台１０のボス部１５に圧入された端子金具１６、これに被さるように装着されて抜け止め係止されたバネ板材からなる接触端子１７、端子金具１６にねじ込み装着される端子ねじ１８および、座金１９とから構成されている。
【００２８】
また、端子台１０の前面側も、図５に示されるように、リブ２０によって上下複数に仕切られるとともに、各リブ２０には、基板６を位置決め案内するスリット２１が形成されており、位置決めされた基板６に対して、接触端子１７から延出屈曲された接触片１７ａが接触し、もって、基板６にプリント形成された回路パターンの導通部（図示せず）と端子１４とが導通されるようになっている。
【００２９】
なお、この例では、図５に示すように、接触端子１７が左または右へ偏在した２種類の端子台１０（１），１０（２）が用意されており、端子台１０（２）は、背面から見て上段左端のスリット７に対してのみ利用され、他のスリット７に対しては共通の端子台１０（１）を利用することができるようになっている。
【００３０】
また、図６および図７に示されるように、背面から見て、上段右側の４本のスリット７と下段左端のスリット７の横側には、複数の支持部としてのブリッジ部２２で支持された切り抜き片２３が配備されており、ブリッジ部２２を切断して切り抜き片２３を切り取ることで、コネクタ装着用の縦長の開口が形成されるようになっている。
【００３１】
また、共有仕様の端子台１０（１）の前面下方寄り箇所には、図５に示されるように、誤装着防止用の小突起２４が設けられている。この小突起２４は、端子台１０（１）が所定の箇所に所定の上下向きでのみ装着されるように備えられたものであり、所定の端子台装着部位に形成された小孔２５、および、前記切り抜き片２３の周囲に形成された切り溝２６に挿入可能となっている。なお、前記小突起２４を折り取れば、小孔２５や切り溝２６の無い箇所へ端子台１０（１）を装着することができる。
【００３２】
本発明に係る端子台構造は以上にように構成されており、機器の仕様によって装着する基板６の数および装着位置が異なっても、基板６の数および装着位置に対応して端子台１０を装着することで、フロントケース１およびリヤケース２を共用することができる。
【００３３】
したがって、共通のケースで、各種の仕様に応じた機器を構成できることになり、特に、本件出願人が先に提案している上述の特願２００２−１４４４９０のように、入力用、出力用、電源用、通信用といった多種類の基板を準備し、必要な基板を選択して共通のケースに装着して所要の機種を構成する場合に好適に実施できるものである。
【００３４】
なお、本発明は、以下のような形態で実施することもできる。
【００３５】
（１）上記実施の形態では１本のスリットに対応して１個の端子台片を装着できるように構成しているが、１本のスリットに対応した端子台と、複数のスリットに対応した端子台を予め用意しておき、これら端子台を組み合わせて装着するように構成することもできる。この場合、複数のスリットに対応した端子台としては、例えば、上下に並ぶスリットに対応した上下に長い端子台片や、左右に並ぶ複数本のスリットに対応した横幅の広い端子台片や、あるいは、上下左右に並ぶ複数のスリットに対応した大きさの端子台片を予め準備しておいて、基板枚数に応じてこれらを選択して使用するようにすることもできる。
【００３６】
（２）端子台のリヤケースへの取り付け構造は、上記した構造に限られることはなく、リヤケースに係止爪、端子台に係合孔を設ける構造で実施することもできる。また、端子台を特に強固に装着する必要のある機器では、端子台をリヤケースへネジ連結してもよい。
【００３７】
【発明の効果】
以上のように本発明によれば、リヤケースのスリットから突出された基板にだけ対応して端子台を装着することができるので、装着する基板枚数の異なった各種仕様の機器を、ケースを共用して構成することができるとともに、装着する基板枚数が少なくてもリヤケース背部が大きく開放されることはなく、異物の侵入を十分阻止できる細いスリットが露出するだけであるので、美観上も良好であり、従来のように端子金具や端子ネジなどの部材を開口閉塞用に装着する必要はなく、安価に実施することができる。
【００３８】
特に、各スリットを同一形状にすると、同一サイズの基板および同一の端子台で対応できることになり、コスト低減に有効となる。
【００３９】
また、リヤケース背面に、コネクタ装着用の開口を切り抜き形成できるように構成しておくことで、ケースの汎用性を一層高めることができる。
【図面の簡単な説明】
【図１】本発明に係る端子台構造を備える温度調節器を正面側から見た全体斜視図である。
【図２】図１の温度調節器を背面側から見た機器の全体斜視図である。
【図３】図１の温度調節器を分解した斜視図である。
【図４】図１の温度調節器の要部の横断平面図である。
【図５】図１の温度調節器の端子台の斜視図である。
【図６】図１の温度調節器を背面側から見たリヤケースの斜視図である。
【図７】図１の温度調節器のリヤケースの背面図である。
【図８】図１の温度調節器のリヤケースの正面図である。
【図９】図１の温度調節器のリヤケースの横断平面図である。
【図１０】図１の温度調節器のリヤケースの縦断側面図である。
【符号の説明】
１　　　　　　　　フロントケース
２　　　　　　　　リヤケース
６　　　　　　　　基板
７　　　　　　　　スリット
１０　　　　　　　端子台
１１　　　　　　　係合爪
１２　　　　　　　係合孔
１４　　　　　　　端子
２４　　　　　　　小突起
２５　　　　　　　小孔
【図１】
2004063299.tif 000003
【図２】
2004063299.tif 000004
【図３】
2004063299.tif 000005
【図４】
2004063299.tif 000006
【図５】
2004063299.tif 000007
【図６】
2004063299.tif 000008
【図７】
2004063299.tif 000009
【図８】
2004063299.tif 000010
【図９】
2004063299.tif 000011
【図１０】
2004063299.tif 000012